(57)【要約】      （修正有）【課題】撮影した画像の管理が容易な撮像装置を提供する。【解決手段】モニタの上にタッチパネルを配設し、タッチパネルから文字、図形を手書きで入力できるようにされている。カメラのモードをペイントモードに設定することにより、モニタに表示された画像に対してタッチパネルから文字、図形を手書きで書き込むことができる。ペイント後の画像はペイント前の画像のファイル名にＷが付されて保存され、ファイル名からペイントされた画像であることが認識できるようにされている。【選択図】図４
2005184778.tif 000002
【特許請求の範囲】
【請求項１】
撮像した画像を表示するためのモニタを装置本体に備えた撮像装置において、
前記モニタに表示された画像に合成するための文字、画像を入力する入力手段と、
前記入力手段から入力された文字、画像を前記モニタに表示された画像に合成して合成画像を生成する合成手段と、
前記合成手段で生成された合成画像の記録を指示する指示手段と、
前記指示手段の指示に応じて前記合成手段で生成された合成画像を記録メディアに記録する記録制御手段であって、前記記録メディアに記録する画像が合成画像であることを識別する識別記号をファイル名の一部に付加して前記記録メディアに記録する記録制御手段と、
を備えたことを特徴とする撮像装置。
【請求項２】
前記記録制御手段は、前記記録メディアに記録する画像が合成画像であることを識別する識別記号と、合成された文字の入力先を識別する識別記号をファイル名の一部に付加して前記記録メディアに記録することを特徴とする請求項１に記載の撮像装置。
【請求項３】
前記入力手段は、前記モニタ画面上に設けられ、ペンで手書きの文字、画像の入力が可能なタッチパネルで構成されることを特徴とする請求項１又は２に記載の撮像装置。
【請求項４】
規定の文字データが格納された文字データ格納手段と、
前記タッチパネルからペンで手書き入力された文字を前記文字データ格納手段に格納された文字データに基づいて認識する文字認識手段と、
を有し、前記合成手段は、前記文字認識手段で認識した文字データの文字を前記モニタに表示された画像に合成することを特徴とする請求項３に記載の撮像装置。
【請求項５】
前記文字データ格納手段に格納された規定の文字データが、数字の文字データであることを特徴とする請求項４に記載の撮像装置。
【請求項６】
前記文字データ格納手段に格納された規定の文字データが、アルファベットの文字データであることを特徴とする請求項４に記載の撮像装置。
【請求項７】
前記文字データ格納手段に格納された規定の文字データが、かな／漢字の文字データであることを特徴とする請求項４に記載の撮像装置。
【請求項８】
前記文字データ格納手段に格納された規定の文字データが、数字、アルファベット、かな／漢字の文字データであって、前記文字認識手段で認識する文字種を選択する文字種選択手段を備えたことを特徴とする請求項４に記載の撮像装置。
【請求項９】
前記文字データ格納手段が、前記装置本体に対して着脱自在に設けられていることを特徴とする請求項４、５、６、７及び８に記載の撮像装置。
【請求項１０】
前記入力手段は、
規定の文字、画像のデータが格納された合成データ格納手段と、
前記合成データ格納手段に格納された文字、画像を読み出して前記モニタに表示する表示制御手段と、
前記モニタに表示された文字、画像を選択する選択手段と、
からなり、前記モニタに表示された文字、画像を前記選択手段で選択して入力することを特徴とする請求項１又は２に記載の撮像装置。
【請求項１１】
前記合成データ格納手段が、前記装置本体に対して着脱自在に設けられていることを特徴とする請求項１０に記載の撮像装置。
【請求項１２】
前記入力手段が、前記装置本体に外部接続されることを特徴とする請求項１又は２に記載の撮像装置。
【請求項１３】
撮像した画像を表示するためのモニタを備えた撮像装置において、
前記モニタに表示された画像のファイル名の変更を指示する指示手段と、
前記指示手段の指示に応じて前記モニタに表示された画像のファイル名を入力する入力手段と、
前記指示手段の指示に応じて前記モニタに表示された画像のファイル名の一部又は全部を前記入力手段から入力されたファイル名に書き換えるファイル名書き換え手段と、
を備えたことを特徴とする撮像装置。
【請求項１４】
前記入力手段は、
前記モニタ画面上に設けられ、ペンで手書きの文字の入力が可能なタッチパネルと、
規定の文字データが格納された文字データ格納手段と、
前記タッチパネルからペンで手書き入力された文字を前記文字データ格納手段に格納された文字データに基づいて認識する文字認識手段と、
からなり、前記ファイル名書き換え手段は、前記モニタに表示された画像のファイル名の一部又は全部を前記文字認識手段で認識した文字に書き換えることを特徴とする請求項１３に記載の撮像装置。
【請求項１５】
前記文字データ格納手段に格納された規定の文字データが、数字の文字データであることを特徴とする請求項１４に記載の撮像装置。
【請求項１６】
前記文字データ格納手段に格納された規定の文字データが、アルファベットの文字データであることを特徴とする請求項１４に記載の撮像装置。
【請求項１７】
前記文字データ格納手段に格納された規定の文字データが、かな／漢字の文字データであることを特徴とする請求項１６に記載の撮像装置。
【請求項１８】
前記文字データ格納手段に格納された規定の文字データが、数字、アルファベット、かな／漢字の文字データであって、前記文字認識手段で認識する文字種を選択する文字種選択手段を備えたことを特徴とする請求項１４に記載の撮像装置。
【請求項１９】
前記文字データ格納手段が、前記装置本体に対して着脱自在に設けられていることを特徴とする請求項１４、１５、１６、１７及び１８に記載の撮像装置。
【請求項２０】
前記入力手段が、前記装置本体に外部接続されることを特徴とする請求項１３に記載の撮像装置。
【発明の詳細な説明】
【技術分野】
【０００１】
本発明は撮像装置に係り、特にモニタ画面上にペンで手書き入力が可能なタッチパネルを備えた撮像装置に関する。
【背景技術】
【０００２】
一般に電子カメラには、本体にモニタが備えられており、このモニタに撮影した画像を表示できるようにしている。
【０００３】
そして、この電子カメラのモニタにタッチパネルを設け、ペン入力によりメニュー画面の操作や撮影画像にメモの入力ができるようにした電子カメラも提案されている（たとえば、特許文献１〜４）。
【０００４】
また、この電子カメラのモニタと操作ボタンを利用することにより文字入力を可能にし、撮影画像にコメントを付すことができるようにした電子カメラも提案されている（たとえば、特許文献５）。
【特許文献１】特開平９−１４９３０７号公報
【特許文献２】特開平５−１６１０４９号公報
【特許文献３】特開２００１−２１９８３号公報
【特許文献４】特開平１１−２８９４８４号公報
【特許文献５】特開２００２−３００５１３号公報
【発明の開示】
【発明が解決しようとする課題】
【０００５】
ところで、一般に電子カメラで撮影された画像は、ファイル名が自動的に付与されて記録メディアに記録されるため（たとえば、アルファベットと連続番号の組み合わせなど）、ファイル名から画像の内容を知ることができず、記録済みの画像の管理がしにくいという欠点があった。
【０００６】
このような問題点は、上記のタッチパネル等の文字入力手段を備えた電子カメラでも同様であり、記録済みの画像の管理がしにくいという欠点があった。
【０００７】
本発明は、このような事情に鑑みてなされたもので、撮影した画像の管理が容易な撮像装置を提供することを目的とする。
【課題を解決するための手段】
【０００８】
請求項１に記載の発明は、前記目的を達成するために、撮像した画像を表示するためのモニタを装置本体に備えた撮像装置において、前記モニタに表示された画像に合成するための文字、画像を入力する入力手段と、前記入力手段から入力された文字、画像を前記モニタに表示された画像に合成して合成画像を生成する合成手段と、前記合成手段で生成された合成画像の記録を指示する指示手段と、前記指示手段の指示に応じて前記合成手段で生成された合成画像を記録メディアに記録する記録制御手段であって、前記記録メディアに記録する画像が合成画像であることを識別する識別記号をファイル名の一部に付加して前記記録メディアに記録する記録制御手段と、を備えたことを特徴とする撮像装置を提供する。
【０００９】
本発明によれば、モニタに表示された画像に対して入力手段から入力した文字（記号を含む）、画像（図形を含む）を合成することができる。そして、その合成した画像を記録メディアに記録することができる。この際、記録メディアに記録する合成画像のファイル名に、その画像が合成画像であることを示す識別記号が付される（たとえば、ファイル名の最後にＷを付す）。これにより、記録メディアに記録されている画像が合成画像である場合、そのことがファイル名から瞬時に判別でき、画像の管理が容易になる。
【００１０】
また、請求項２に係る発明は、前記目的を達成するために、前記記録制御手段は、前記記録メディアに記録する画像が合成画像であることを識別する識別記号と、合成された文字、画像の入力先を識別する識別記号をファイル名の一部に付加して前記記録メディアに記録することを特徴とする請求項１に記載の撮像装置を提供する。
【００１１】
本発明によれば、記録メディアに記録する画像が合成画像であることを識別する識別記号と、合成された文字、画像の入力先を識別する識別記号とが、ファイル名の一部に付加されて合成画像が記憶メディアに記憶される。これにより、記憶メディアに記憶されている画像が、合成画像であること及び合成したデータの入力元をファイル名から瞬時に判別でき、画像の管理が容易になる。
【００１２】
請求項３に係る発明は、前記目的を達成するために、前記入力手段は、前記モニタ画面上に設けられ、ペンで手書きの文字、画像の入力が可能なタッチパネルで構成されることを特徴とする請求項１又は２に記載の撮像装置を提供する。
【００１３】
本発明によれば、入力手段がタッチパネルで構成される。これにより、モニタに表示されている画像に簡易に文字、画像を書き込むことができる。
【００１４】
また、請求項４に係る発明は、前記目的を達成するために、規定の文字データが格納された文字データ格納手段と、前記タッチパネルからペンで手書き入力された文字を前記文字データ格納手段に格納された文字データに基づいて認識する文字認識手段と、を有し、前記合成手段は、前記文字認識手段で認識した文字データの文字を前記モニタに表示された画像に合成することを特徴とする請求項３に記載の撮像装置を提供する。
【００１５】
本発明によれば、タッチパネルから手書き入力した文字を規定の文字データに基づき識別することができ、その識別した文字データの文字をモニタに表示されている画像に合成することができる。
【００１６】
また、請求項５に係る発明は、前記目的を達成するために、前記文字データ格納手段に格納された規定の文字データが、数字の文字データであることを特徴とする請求項４に記載の撮像装置を提供する。
【００１７】
本発明によれば、文字データ格納手段に数字の文字データが格納される。これにより、タッチパネルに手書き入力された数字の文字認識が可能になる。
【００１８】
また、請求項６に係る発明は、前記目的を達成するために、前記文字データ格納手段に格納された規定の文字データが、アルファベットの文字データであることを特徴とする請求項４に記載の撮像装置を提供する。
【００１９】
本発明によれば、文字データ格納手段にアルファベットの文字データが格納される。これにより、タッチパネルに手書き入力されたアルファベットの文字認識が可能になる。
【００２０】
また、請求項７に係る発明は、前記目的を達成するために、前記文字データ格納手段に格納された規定の文字データが、かな／漢字の文字データであることを特徴とする請求項４に記載の撮像装置を提供する。
【００２１】
本発明によれば、文字データ格納手段にかな／漢字の文字データが格納される。これにより、タッチパネルに手書き入力されたかな／漢字の文字認識が可能になる。
【００２２】
また、請求項８に係る発明は、前記目的を達成するために、前記文字データ格納手段に格納された規定の文字データが、数字、アルファベット、かな／漢字の文字データであって、前記文字認識手段で認識する文字種を選択する文字種選択手段を備えたことを特徴とする請求項４に記載の撮像装置を提供する。
【００２３】
本発明によれば、文字データ格納手段に数字、アルファベット、かな／漢字の文字データが格納され、認識に使用する文字種を選択することができる。このように、認識に使用する文字種を限定することにより、文字の認識が容易になり、迅速かつ正確にタッチパネルから入力した文字の認識ができるようになる。
【００２４】
また、請求項９に係る発明は、前記目的を達成するために、前記文字データ格納手段が、前記装置本体に対して着脱自在に設けられていることを特徴とする請求項４、５、６、７及び８に記載の撮像装置を提供する。
【００２５】
本発明によれば、文字データ格納手段が装置本体に対して着脱自在に設けられる。これにより、必要に応じて、より豊富な文字データが格納された文字データ格納手段に交換して使用することができる。
【００２６】
また、請求項１０に係る発明は、前記目的を達成するために、前記入力手段は、規定の文字、画像のデータが格納された合成データ格納手段と、前記合成データ格納手段に格納された文字、画像を読み出して前記モニタに表示する表示制御手段と、前記モニタに表示された文字、画像を選択する選択手段と、からなり、前記モニタに表示された文字、画像を前記選択手段で選択して入力することを特徴とする請求項１又は２に記載の撮像装置を提供する。
【００２７】
本発明によれば、合成データ格納手段に格納された文字、画像を読み出してモニタに表示させ、そのモニタに表示された文字、画像を選択手段で選択して合成に使用する文字、画像を入力する。
【００２８】
また、請求項１１に係る発明は、前記目的を達成するために、前記合成データ格納手段が、前記装置本体に対して着脱自在に設けられていることを特徴とする請求項１０に記載の撮像装置を提供する。
【００２９】
本発明によれば、合成データ格納手段が装置本体に対して着脱自在に設けられる。これにより、必要に応じて、より豊富な合成データが格納された合成データ格納手段に交換して使用することができる。
【００３０】
また、請求項１２に係る発明は、前記目的を達成するために、前記入力手段が、前記装置本体に外部接続されることを特徴とする請求項１又は２に記載の撮像装置を提供する。
【００３１】
本発明によれば、入力手段が、装置本体に外部接続される。すなわち、入力手段が、キーボード、マウス、ＰＣ、デジタルカメラ、スキャナ等の外部機器で構成される。
【００３２】
また、請求項１３に係る発明は、前記目的を達成するために、撮像した画像を表示するためのモニタを備えた撮像装置において、前記モニタに表示された画像のファイル名の変更を指示する指示手段と、前記指示手段の指示に応じて前記モニタに表示された画像のファイル名を入力する入力手段と、前記指示手段の指示に応じて前記モニタに表示された画像のファイル名の一部又は全部を前記入力手段から入力されたファイル名に書き換えるファイル名書き換え手段と、を備えたことを特徴とする撮像装置を提供する。
【００３３】
本発明によれば、モニタに表示された画像のファイル名の一部又は全部を入力手段から入力したファイル名に書き換えることができる。これにより、ファイル名による画像管理が容易になる。
【００３４】
また、請求項１４に係る発明は、前記目的を達成するために、前記入力手段は、前記モニタ画面上に設けられ、ペンで手書きの文字の入力が可能なタッチパネルと、規定の文字データが格納された文字データ格納手段と、前記タッチパネルからペンで手書き入力された文字を前記文字データ格納手段に格納された文字データに基づいて認識する文字認識手段と、からなり、前記ファイル名書き換え手段は、前記モニタに表示された画像のファイル名の一部又は全部を前記文字認識手段で認識した文字に書き換えることを特徴とする請求項１３に記載の撮像装置を提供する。
【００３５】
本発明によれば、ファイル名をタッチパネルから手書き入力して変更することができる。すなわち、タッチパネルから手書きで文字を入力すると、その文字が文字データ格納手段に格納された文字データに基づいて文字認識手段で文字認識される。そして、その文字認識手段で認識された文字が、ファイル名の一部又は全部に使用される。これにより、簡単かつ迅速にファイル名の変更処理を行うことができる。
【００３６】
また、請求項１５に係る発明は、前記目的を達成するために、前記文字データ格納手段に格納された規定の文字データが、数字の文字データであることを特徴とする請求項１４に記載の撮像装置を提供する。
【００３７】
本発明によれば、文字データ格納手段に数字の文字データが格納される。これにより、タッチパネルに数字を手書き入力して認識させることができる。
【００３８】
また、請求項１６に係る発明は、前記目的を達成するために、前記文字データ格納手段に格納された規定の文字データが、アルファベットの文字データであることを特徴とする請求項１４に記載の撮像装置を提供する。
【００３９】
本発明によれば、文字データ格納手段にアルファベットの文字データが格納される。これにより、タッチパネルにアルファベットを手書き入力して認識させることができる。
【００４０】
また、請求項１７に係る発明は、前記目的を達成するために、前記文字データ格納手段に格納された規定の文字データが、かな／漢字の文字データであることを特徴とする請求項１４に記載の撮像装置を提供する。
【００４１】
本発明によれば、文字データ格納手段にかな／漢字の文字データが格納される。これにより、タッチパネルにかな／漢字を手書き入力して認識させることができる。
【００４２】
また、請求項１８に係る発明は、前記目的を達成するために、前記文字データ格納手段に格納された規定の文字データが、数字、アルファベット、かな／漢字の文字データであって、前記文字認識手段で認識する文字種を選択する文字種選択手段を備えたことを特徴とする請求項１４に記載の撮像装置を提供する。
【００４３】
本発明によれば、文字データ格納手段に数字、アルファベット、かな／漢字の文字データが格納され、文字認識する文字種を選択することができる。これにより、認識可能な文字が多数用意されているばあであっても、正確かつ迅速に文字認識を行うことができる。
【００４４】
また、請求項１９に係る発明は、前記目的を達成するために、前記文字データ格納手段が、前記装置本体に対して着脱自在に設けられていることを特徴とする請求項１４、１５、１６、１７及び１８に記載の撮像装置を提供する。
【００４５】
本発明によれば、合成データ格納手段が装置本体に対して着脱自在に設けられる。これにより、必要に応じて、より豊富な文字データが格納された文字データ格納手段に交換して使用することができる。
【００４６】
また、請求項２０に係る発明は、前記目的を達成するために、前記入力手段が、前記装置本体に外部接続されることを特徴とする請求項１３に記載の撮像装置を提供する。
【００４７】
本発明によれば、入力手段が、装置本体に外部接続される。すなわち、入力手段が、キーボード等の外部機器で構成される。
【発明の効果】
【００４８】
本発明に係る撮像装置によれば、画像の管理を容易に行なうことができる。
【発明を実施するための最良の形態】
【００４９】
以下、添付図面に従って本発明に係る撮像装置を実施するための最良の形態について説明する。
【００５０】
図１、図２は、それぞれ本発明に係る撮像装置の一実施形態を示す正面斜視図と背面斜視図である。
【００５１】
同図に示す撮像装置は、静止画の記録、再生機能を備えた電子カメラ１０であり、図１に示すように、そのカメラボディ１２の正面には、レンズ１４、ストロボ１６、ファインダ窓１８、ＡＦ補助光ランプ２０、セルフタイマランプ２２、ストロボ調光センサ２４等が設けられており、上面にはシャッターボタン２６、電源スイッチ２８、モードダイヤル３０等が設けられている。
【００５２】
また、図２に示すように、カメラボディ１２の背面には、ファインダ接眼部３２、ズームボタン３４、表示ボタン３６、メニュー／ＯＫボタン３８、ＢＡＣＫボタン４０、十字ボタン４２、表示部４４等が設けられており、下面にはバッテリーカバー４６、三脚用ねじ穴４８等が設けられている。
【００５３】
シャッターボタン２６は、半押しと全押しとからなる２段ストローク式のスイッチで構成されており、このシャッターボタン２６の半押しでカメラはＡＥ／ＡＦが作動し、全押しで撮影が行なわれる。
【００５４】
電源スイッチ２８は、モードスイッチと兼ねて構成されており、「ＯＦＦ位置」と「再生位置」と「撮影位置」との間をスライド自在に設けられている。電子カメラ１０は、この電源スイッチ２８を「ＯＦＦ位置」から「再生位置」までスライド移動させることにより、再生モードの下で電源が投入され、「撮影位置」までスライド移動させることにより、撮影モードの下で電源が投入される。
【００５５】
モードダイヤル３０は、撮影モードの切り替えを指示する操作ダイヤルであり、このモードダイヤル３０の設定位置により、電子カメラ１０は、「オート撮影モード」、「プログラム撮影モード」、「シャッター速度優先撮影モード」、「絞り優先撮影モード」、「マニュアル撮影モード」、「人物撮影モード」、「風景撮影モード」、「スポーツ撮影モード」、「夜景撮影モード」又は「動画撮影モード」に設定される。
【００５６】
ズームボタン３４は、ズームテレボタン３４Ｔとズームワイドボタン３４Ｗとからなり、撮影時及び再生時における画像のズームを指示するボタンとして機能し、表示ボタン３６は、表示部４４に表示される内容の切り替えを指示するボタンとして機能する。
【００５７】
メニュー／ＯＫボタン３８は、各モードの通常画面からメニュー画面への遷移を指示するボタン（メニューボタン）として機能するとともに、選択内容の確定、実行を指示するボタン（ＯＫボタン）として機能し、ＢＡＣＫボタン４０は、入力操作のキャンセル等を指示するボタンとして機能する。
【００５８】
十字ボタン４２は、上下左右４方向の指示を入力するボタンとして機能し、メニュー画面でメニュー項目の選択などに使用される。また、撮影時には、右キーがストロボボタンとして機能するとともに、左キーがマクロボタンとして機能する。すなわち、撮影中、この十字ボタン４２の右キーを押すことにより、マクロ機能がオン／オフされ、左キーを押すことにより、ストロボモードが「オート」、「赤目軽減発光」、「発光禁止」、「スローシンクロ」に切り替えられる。
【００５９】
表示部４４は、モニタ４４Ａと、そのモニタ４４Ａ上に配置されたタッチパネル４４Ｂとで構成されている。
【００６０】
モニタ４４Ａは、カラー表示が可能な液晶ディスプレイで構成されており、記録済み画像の表示画面として利用されるとともに、ユーザインターフェースの表示画面として利用される。また、撮影時には画角確認用の電子ファインダとしても使用される。
【００６１】
タッチパネル４４Ｂは、モニタ４４Ａをカバーするように配置されており、ペン５０で押圧された点を検出する。なお、タッチパネル自体は公知の技術なので、その構成についての詳細な説明は、ここでは省略する。
【００６２】
バッテリーカバー４６は、カメラボディ１２の下面に開閉自在に設けられており、その内側には、図示しないバッテリー装填部とメモリカードスロットとが設けられている。電子カメラの電源に使用するバッテリーは、このバッテリーカバー４６の内側に設けられたバッテリー装填部に着脱自在に装填される。また、画像データを記録するメモリカード（記録メディア）は、このバッテリーカバー４６の内側に設けられたメモリカードスロットに着脱自在に装填される。
【００６３】
図３は、電子カメラ１０の内部構成を示すブロック図である。同図に示すように、電子カメラ１０は、主としてシステム制御部５２、撮像部５４、画像処理部５６、記録処理部５８、表示処理部６０、操作部（シャッターボタン２６、電源スイッチ２８、モードダイヤル３０、ズームボタン３４、表示ボタン３６、メニュー／ＯＫボタン３８、ＢＡＣＫボタン４０、十字ボタン４２等）６２等で構成されている。
【００６４】
システム制御部５２は、ＣＰＵ、ＲＯＭ、ＲＡＭなどを備えて構成されており、操作部６２からの操作信号に基づきＲＯＭに記録されたプログラムに従って電子カメラ全体を統括制御する。
【００６５】
撮像部５４は、撮影に用いられるレンズ及びレンズ駆動部、ＣＣＤ及びＣＣＤ駆動回路、Ａ／Ｄ変換器などを備えて構成されており、システム制御部５２からのコマンドに従って被写体を撮像する。
【００６６】
画像処理部５６は、撮像部５４で得られた画像信号を基に種々の画像処理を施すとともに、画像の圧縮伸長を行う機能を備えたコントローラ及びメモリ等を備えて構成されており、システム制御部５２からのコマンドに従って入力された画像信号を処理する。
【００６７】
記録処理部５８は、メディアコントローラ、メモリカード等で構成されており、システム制御部５２からのコマンドに従って画像処理部５６で処理された画像データをメモリカードに記録する。
【００６８】
表示処理部６０は、Ｄ／Ａ変換器、オンスクリーンディスプレイコントローラなどを備えて構成されており、画像処理部５６で処理された画像信号をモニタ４４Ａに表示するための信号処理を行うとともに、ユーザインターフェースのための種々のグラフィック画像を生成してモニタ４４Ａに表示する。
【００６９】
タッチパネル４４Ｂは、ペン５０で押圧された点の座標位置を検出し、検出した座標データをシステム制御部５２に出力する。システム制御部５２は、このタッチパネル４４Ｂから入力される座標の軌跡データをＲＡＭに格納し、その軌跡データに基づき入力された文字（記号を含む）の認識を行なう。また、その軌跡データを画像処理部５６に出力し、入力された文字、図形とモニタ４４Ａに再生中の画像と合成させる。
【００７０】
さて、上記のように本実施の形態の電子カメラ１０は、タッチパネル４４Ｂを備えている。このタッチパネル４４Ｂは、モニタ４４Ａに再生表示された画像に手書きで文字や図形を書き加えたり（ペイント処理）、ファイル名を手書きで入力したりする際に使用される。
【００７１】
タッチパネル４４Ｂを使用する場合は、電子カメラ１０のモードを専用のモードに設定する必要があり、電子カメラ１０のモードを「ペイントモード」に設定することにより、タッチパネル４４Ｂを使用して、モニタ４４Ａに再生表示された画像に手書きで文字や図形を書き加えることが可能となる。また、電子カメラ１０のモードを「ファイル変更モード」に設定することにより、モニタ４４Ａに再生表示された画像に対しタッチパネル４４Ｂを使用して手書きでファイル名を入力して変更することが可能になる。以下、各モードごとの電子カメラ１０の動作について説明する。
【００７２】
まず、「ペイントモード」時における電子カメラ１０の動作を図４に示すフローチャートに従って説明する。
【００７３】
上記のように、「ペイントモード」は、モニタ４４Ａに再生表示された画像に手書きで文字や図形を書き加えるモードである。
【００７４】
「ペイントモード」の設定は、再生メニューで行う。まず、カメラのモードを再生モードに設定する（ステップＳ１０）。再生モードの設定は、電源スイッチ２８で行なわれ、電源スイッチ２８を再生位置にスライド移動させることにより、カメラのモードが再生モードに設定される。再生モードに設定されると、メモリカードに最後に記録された画像がモニタ４４Ａに再生表示される。
【００７５】
この再生モードに設定した状態でメニュー／ＯＫボタン３８が押されると、モニタ４４Ａの表示が切り替わり、図５（ａ）に示すように、モニタ４４Ａに再生メニューが表示される。ユーザは、このモニタ４４Ａに表示された再生メニューの中から「ペイント」の項目を選択する。これにより、カメラのモードがペイントモードに移行する（ステップＳ１１）。なお、メニュー項目の選択操作はカーソルを十字ボタン４２で移動させることにより行い、メニュー／ＯＫボタン３８で確定する。
【００７６】
カメラのモードがペイントモードに設定されると、モニタ４４Ａの表示が切り替わり、図５（ｂ）に示すように、再生メニューを表示させる前にモニタ４４Ａに表示されていた画像がモニタ４４Ａに再び再生表示される。ユーザは、画像をコマ送りし、ペイント処理する対象をモニタ４４Ａに再生表示させる（ステップＳ１２）。なお、画像のコマ送りは、十字ボタン４２で行なわれ、十字ボタン４２の右キーを押すと、画像が１コマ送りされ、左キーを押すと、画像が１コマ戻される。
【００７７】
ユーザは、処理対象の画像がモニタ４４Ａに再生表示されたところで、メニュー／ＯＫボタン３８を押す。これにより、処理対象の画像の選択が確定する。確定後、ペイントが可能になり、ユーザは、ペン５０を用いて任意の文字、図形等をモニタ４４Ａの上から書き込む。書き込まれた文字や図形（ペン５０の軌跡データ）は、モニタ４４Ａの上に敷設されたタッチパネル４４Ｂで検出され、システム制御部５２を介して画像処理部５６に加えられる。画像処理部５６は、書き込まれた文字や図形（ペン５０の軌跡データ）を再生中の画像と合成する。そして、この合成された画像が、図５（ｃ）に示すように、表示処理部６０を介してモニタ４４Ａに表示される。このようにして再生中の画像に文字や図形を書き込み、書き込みが終了したところでメニュー／ＯＫボタン３８を押す。これにより、ペイント処理が終了する。
【００７８】
ペイント処理が終了すると、図５（ｄ）に示すように、ペイント後の画像について保存の要否を問うメッセージ（「保存しますか？」）が、モニタ４４Ａに表示され、このメッセージに基づきユーザは、ペイント後の画像を保存する場合はメニュー／ＯＫボタン３８を押し、保存しない場合はＢＡＣＫボタン４０を押す。システム制御部５２は、メニュー／ボタン３８又はＢＡＣＫボタン４０の押下を検知して、ペイント後の画像の保存の要否を判定し（ステップＳ１４）、保存する場合は、ペイント後の画像のファイル名を変更したのち（ステップＳ１５）、メモリカードに保存する（ステップＳ１６）。すなわち、その画像ファイルが、ペイント処理された画像であることがファイル名から認識できるようにファイル名を変更して保存する。ここで、ファイル名は、変更前のファイル名に所定の識別記号を付加したファイル名に変更するものとする。たとえば、アルファベット１文字からなる「Ｗ」を付加したファイル名に変更する（「Ｗ」は「ＷＲＩＴＩＮＧ」を意味する「Ｗ」）。したがって、たとえばファイル名が「ＤＳＣＦ０００１．ＪＰＧ」の画像に対してペイント処理をした場合、ペイント後の画像を保存すると、ファイル名が「ＤＳＣＦ０００１Ｗ．ＪＰＧ」に変更される。
【００７９】
ペイント後の画像が保存されると、モニタ４４Ａの表示が切り替わり、図５（ｅ）に示すように、連続してペイント処理を行なうか否かを問うメッセージ（「続けて処理しますか？」）が、モニタ４４Ａに表示される。ユーザは、このメッセージに基づき連続してペイント処理する場合はメニュー／ＯＫボタン３８を押し、処理を止める場合はＢＡＣＫボタン４０を押す。システム制御部５２は、メニュー／ボタン３８又はＢＡＣＫボタン４０の押下を検知して、連続処理の要否を判定し（ステップＳ１７）、連続して処理しない場合は、ペイント処理を終了する。これにより、通常の再生モードに復帰する。一方、処理を続行する場合は、ステップＳ１２に戻り、画像選択を行なう。
【００８０】
以上説明したように、カメラのモードを「ペイントモード」に設定することにより、モニタ上に配されたタッチパネル４４Ｂを利用してモニタ４４Ａに再生表示された画像に手書きで文字や図形を書き加えることができる。また、ペイント処理された画像は、ファイル名に「Ｗ」が付加されることから、ファイル名を見ただけでペイント処理された画像であることを認識でき、その後の画像データの管理が容易になる。
【００８１】
なお、本例では、ペイント後の画像をペイント前の画像とは別にして保存（別名保存）しているが、ペイント前の画像をペイント後の画像に書き換えて保存（上書き保存）するようにしてもよい。また、上書き保存と別名保存とを選択できるようにしてもよい。
【００８２】
次に、「ファイル名変更モード」時における電子カメラ１０の動作を図６に示すフローチャートに従って説明する。
【００８３】
上記のように、「ファイル名変更モード」は、タッチパネル４４Ｂを利用してモニタ４４Ａに再生表示された画像のファイル名を手書きで入力するモードである。
【００８４】
「ファイル名変更モード」の設定は、上述した「ペイントモード」と同様に再生メニューから行う。まず、カメラのモードを再生モードに設定したのち（ステップＳ２０）、メニュー／ＯＫボタン３８を押し、図７（ａ）に示すように、モニタ４４Ａに再生メニューを呼び出す。そして、この再生メニューの中から「ファイル名変更」の項目を選択する。これにより、カメラのモードがファイル名変更モードに移行する（ステップＳ２１）。
【００８５】
カメラのモードがファイル名変更モードに設定されると、モニタ４４Ａの表示が切り替わり、図７（ｂ）に示すように、入力形式の選択画面が表示される。
【００８６】
ここで、選択可能な入力形式として、ファイル名を日付で入力する「日付入力」と、ファイル名をアルファベットで入力する「アルファベット入力」と、ファイル名をかな／漢字で入力する「かな／漢字入力」の三つの入力形式が用意されているものとし、ユーザは、この３つの入力形式の中から所望の１つを選択する（ステップＳ２２）。なお、ここでは「日付入力」を選択するものとする。選択はカーソルを十字ボタン４２で移動させることにより行い、メニュー／ＯＫボタン３８で確定する。
【００８７】
入力形式の選択が行なわれると、図７（ｃ）に示すように、再生メニューを表示させる前にモニタ４４Ａに表示されていた画像が再びモニタ４４Ａに再生表示される。ユーザは、画像をコマ送りし、ファイル名の変更処理を行なう画像をモニタ４４Ａに再生表示させる（ステップＳ２３）。なお、画像のコマ送りは、「ペイントモード」時と同様に十字ボタン４２の右キーと左キーとで行なわれる。ここでは、たとえば「ＤＣＳＦ００１．ＪＰＧ」というファイル名の画像を選択するものとする。
【００８８】
ユーザは処理対象の画像がモニタ４４Ａに再生表示されたところで、メニュー／ＯＫボタン３８を押す。これにより、処理対象の画像の選択が確定する。
【００８９】
画像選択が確定すると、図７（ｄ）に示すように、その選択された画像に重ねてファイル名を入力するための文字入力ブロックが８マス表示される。また、これと同時にファイル名入力を促すメッセージ（ここでは、「日付を入力してください」）が表示される。ユーザは、このメッセージに基づき文字入力ブロックにペン５０で日付を入力する（手書きする。）（ステップＳ２４）。ここでは、たとえば２００３年１２月３日と入力するものとし、「２００３１２０３」と文字入力ブロックに手書き入力する。
【００９０】
入力された文字（ペン５０の軌跡データ）は、モニタ４４Ａの上に敷設されたタッチパネル４４Ｂで検出され、システム制御部５２を介して画像処理部５６に加えられる。画像処理部５６は、書き込まれた文字（ペン５０の軌跡データ）を再生中の画像と合成し、合成された画像が、図７（ｄ）に示すように、表示処理部６０を介してモニタ４４Ａに表示される。このようにして再生中の画像のファイル名をペン５０で手書き入力し、入力が終了したところでメニュー／ＯＫボタン３８を押す。これにより、入力処理が完了する。
【００９１】
文字入力が完了すると、画像処理部５６は、各文字入力ブロックに入力された文字を認識する。文字認識は、たとえばＲＯＭに記憶された文字データとのパターンマッチングにより行なわれる。
【００９２】
そして、図７（ｅ）に示すように、その認識した文字列、ここでは日付（「２００３１２０３」）をモニタ４４Ａに表示させる。また、これと同時に入力したファイル名に変更するか否かを問うメッセージ（「ファイル名を変更しますか？」）をモニタ４４Ａに表示させる。ユーザは、このメッセージに基づきファイル名を変更する場合はメニュー／ＯＫボタン３８を押し、変更しない場合はＢＡＣＫボタン４０を押す。
【００９３】
システム制御部５２は、メニュー／ＯＫボタン３８又はＢＡＣＫボタン４０の押下を検知して、ペイント後の画像の保存の要否を判定し（ステップＳ２５）、変更する場合はモニタ４４Ａに再生中の画像のファイル名を書き換えて保存する（ステップＳ２６）。本例では、「ＤＳＣＦ０００１．ＪＰＧ」というファイル名が、「２００３１２０３」というファイル名に書き換えられて保存される。
【００９４】
ファイル名が書き換えられて保存されると、モニタ４４Ａの表示が切り替わり、図７（ｆ）に示すように、連続してファイル名の変更処理を行なうか否かを問うメッセージ（「続けて処理しますか？」）が、モニタ４４Ａに表示される。ユーザは、このメッセージに基づき連続してファイル名の変更処理を行なう場合はメニュー／ＯＫボタン３８を押し、止める場合はＢＡＣＫボタン４０を押す。システム制御部５２は、メニュー／ボタン３８又はＢＡＣＫボタン４０の押下を検知して、連続処理の要否を判定し（ステップＳ２７）、連続して処理しない場合は、ファイル名の変更処理を終了する。これにより、通常の再生モードに復帰する。一方、処理を続行する場合は、ステップＳ２３に戻り、画像選択を行なう。
【００９５】
以上説明したように、カメラのモードを「ファイル名変更モード」に設定することにより、モニタ上に配されたタッチパネル４４Ｂを利用してファイル名を手書きで書き換えることができる。これにより、簡単にファイル名の書き換え操作を行なうことができ、メモリカードに記録された画像の管理が容易になる。
【００９６】
上記例ではファイル名の入力形式を「日付入力」として説明したが、上記ステップ２２で「アルファベット入力」を選択することにより、アルファベットでファイル名の入力が可能になり、「かな／漢字入力」を選択することにより、かな／漢字でのファイル名の入力が可能になる。この場合もモニタ４４Ａに表示された文字入力ブロックにアルファベット又はかな／漢字を入力し、その文字入力ブロックに入力された文字をシステム制御部５２で認識する。この際、入力形式を分けずに全ての文字を認識できるようにしてもよいが、本実施の形態のように入力形式を分けることにより、文字認識が容易になり、誤りなく入力された文字を認識することができるようになる。
【００９７】
なお、本実施の形態では、文字認識に使用する文字データをシステム制御部５２に備えられたＲＯＭに格納しているが、これをメモリカードに格納し、電子カメラ１０に対して着脱自在に設けるようにしてもよい。これより、ＲＯＭに文字データを備えておく必要がなくなり、メモリ容量を削減することができる。また、メモリカードを交換することにより、認識可能な文字種を増やしたり、変更したりすることができるようになる。なお、この場合において、電子カメラは、メモリカードを装填するためのメモリーカードスロットをカメラボディ１２に複数備えていることが好ましい。これにより、一のメモリカードスロットに装填されたメモリカードに撮影した画像データを記録し、他のメモリカードスロットに文字データが格納されたメモリカードを装填することができる。
【００９８】
また、本実施の形態では、記録済み画像についてペイント処理やファイル名の書き換え処理を行なうようにしているが、撮影された画像についてペイント処理やファイル名の書き換え処理を行なうようにしてもよい。すなわち、撮影された画像をメモリカードに記録する前にモニタ４４Ａにプレビュー表示し、そのプレビュー表示された画像に対してペイント処理やファイル名の手書き入力処理を行なうようにしてもよい。
【００９９】
また、本実施の形態では、タッチパネルを用いて文字等の入力を行うようにしているが、文字等の入力手段は、これに限定されるものではない。たとえば、図８に示すように、カメラボディ１２にＵＳＢ端子７０を設け、このＵＳＢ端子７０にＵＳＢケーブル７２を介してマウス、キーボード等を接続し、これらの外部機器から文字等を入力するようにしてもよい。
【０１００】
さらに、本実施の形態では、ペイントモード時にタッチパネルから手書き入力した文字等をそのままモニタ４４Ａに表示されている画像に合成するようにしているが、タッチパネルから手書き入力された文字を文字認識して、規定の文字に変換し、変換した文字をモニタ４４Ａに表示されている画像に合成するようにしてもよい。この場合も認識する文字種を選択できるようにすることが好ましい。これにより、手書き入力した文字を迅速かつ正確に認識できるようになる。
【０１０１】
また、本実施の形態では、ペイントモード時にタッチパネルから入力した文字等をモニタ４４Ａに表示されている画像に合成しているが、メモリカードや外部機器（たとえば、デジタルカメラやＰＣ、データストレージ等）から入力した画像と合成するようにしてもよい。
【０１０２】
以下、モニタに表示されている画像にメモリカードや外部機器から入力した画像を合成する場合の処理手順を図９に示すフローチャートに従って説明する。
【０１０３】
まず、カメラのモードを再生モードに設定する（ステップＳ３０）。そして、この再生モードの下、図１０（ａ）に示すように、モニタ４４Ａに再生メニューを呼び出して、「ペイント」の項目を選択する。これにより、カメラのモードがペイントモードに移行する（ステップＳ３１）。
【０１０４】
カメラのモードがペイントモードに設定されると、モニタ４４Ａの表示が切り替わり、図１０（ｂ）に示すように、画像がモニタ４４Ａに再生表示される。ユーザは、画像をコマ送りして、ペイント処理する対象を選択し（ステップＳ３２）、メニュー／ＯＫボタン３８を押して、選択を確定する。
【０１０５】
処理対象の画像が選択されると、図１０（ｃ）に示すように、モニタ４４Ａの表示が切り替わり、合成する画像がモニタ４４Ａに再生表示される。
【０１０６】
ここで、このモニタ４４Ａに表示される画像は、メモリーカードに記録されている画像であり、ユーザは、画像をコマ送りして、合成する画像を選択する（ステップＳ３２）。コマ送りは、十字ボタン４２の左右のキー操作で行い、メニュー／ＯＫボタン３８を押して、選択を確定する。
【０１０７】
合成する画像の選択が確定されると、その選択された画像が画像処理部５６に加えられる。画像処理部５６は、選択された画像をもモニタ４４Ａに再生している画像と合成する。そして、この合成された画像が、図１０（ｄ）に示すように、表示処理部６０を介してモニタ４４Ａに表示される。また、これと同時に合成した画像について保存の要否を問うメッセージ（「保存しますか？」）が、モニタ４４Ａに表示される。ユーザは、モニタ４４Ａに表示された合成画像を見て保存の要否を判断し、合成画像を保存する場合は、メニュー／ＯＫボタン３８を押す。また、保存しない場合はＢＡＣＫボタン４０を押す。
【０１０８】
システム制御部５２は、メニュー／ボタン３８又はＢＡＣＫボタン４０の押下を検知して、ペイント後の画像の保存の要否を判定し（ステップＳ３４）、保存する場合は、ペイント後の画像のファイル名を変更したのち（ステップＳ３５）、メモリカードに保存する（ステップＳ３６）。すなわち、その画像ファイルが、ペイント処理（合成処理）された画像であることがファイル名から認識できるようにファイル名を変更して保存する。また、本例では、合成した画像の入力先がファイル名から判別できるようにファイル名を変更して保存する。
【０１０９】
ここで、ファイル名は、変更前のファイル名に合成画像であることを識別する文字と、合成した画像の入力先を識別する文字とを付加したファイル名に変更するものとする。たとえば、合成画像であることを示す文字として「Ｗ」を付加する。また、合成画像の入力先として、メモリカードの場合は「Ｍ」、ＵＳＢ端子７０を介して接続された外部機器の場合は「Ｕ」を付加する。
【０１１０】
したがって、たとえばファイル名が「ＤＳＣＦ０００１．ＪＰＧ」の画像に対してメモリカードから入力した画像を合成した場合、合成後の画像を保存すると、ファイル名が「ＤＳＣＦ０００１ＭＷ．ＪＰＧ」に変更される。
【０１１１】
合成画像が保存されると、モニタ４４Ａの表示が切り替わり、図１０（ｅ）に示すように、連続してペイント処理を行なうか否かを問うメッセージ（「続けて処理しますか？」）が、モニタ４４Ａに表示される。ユーザは、このメッセージに基づき連続してペイント処理する場合はメニュー／ＯＫボタン３８を押し、処理を止める場合はＢＡＣＫボタン４０を押す。
【０１１２】
システム制御部５２は、メニュー／ボタン３８又はＢＡＣＫボタン４０の押下を検知して、連続処理の要否を判定し（ステップＳ３７）、連続して処理しない場合は、ペイント処理を終了する。これにより、通常の再生モードに復帰する。一方、処理を続行する場合は、ステップＳ３２に戻り、画像選択を行なう。
【０１１３】
以上説明したように、画像合成する場合は、メモリカードや外部機器から入力した画像と合成するようにしてもよい。
【０１１４】
なお、上記例では、合成する画像と合成される画像とが同じメモリカードに格納されている場合を例に説明したが、合成する画像は、合成される画像と同じメモリカードに格納しておく必要はなく、他のメモリカードに格納された画像を使用するようにしてもよいし、また、電子カメラ１０に内蔵されたメモリに格納しておくようにしてもよい。他のメモリカードに格納された画像を使用する場合には、電子カメラ１０に複数のメモリカードスロットを設けることが好ましい。これにより、複数のメモリカードを同時に使用して合成処理を行うことができる。
【０１１５】
また、上記例では、合成画像のファイル名として、変更前のファイル名に合成画像であることを識別する文字と、合成した画像の入力先を識別する文字とを付加したファイル名を生成しているが、変更前のファイル名に合成画像であることを識別する文字のみを付加したファイル名、あるいは、変更前のファイル名に合成した画像の入力先を識別する文字のみを付加したファイル名を生成するようにしてもよい。
【０１１６】
また、上記例では、モニタ４４Ａに再生表示されている画像に対してメモリカード等に格納されている画像を合成する場合を例に説明したが、画像に限らずメモリカード等に格納されている文字や図形等のテンプレートを合成するようにしてもよい。すなわち、メモリカードに合成可能な文字や図形等のテンプレートを格納しておき、このメモリカードに格納された文字や図形のテンプレートを読み出して画像に合成するようにする。たとえば、上記例のステップ３２で合成対象の画像を選択すると、モニタ４４Ａの表示が切り替わり、図１１（c ）に示すように、モニタ４４Ａに合成可能なテンプレートが表示される。このテンプレートは、ユーザが十字ボタン４２の左右のキーを操作することにより、コマ送りできるように構成し、所望のテンプレートを選択できるようにする。このように、画像に限らずメモリカード等に格納されている文字や図形のテンプレートを合成するようにしてもよい。
【０１１７】
なお、画像や文字、図形等のテンプレートを合成する場合には、合成位置を調整できるようにすることが好ましい。この場合、たとえば、合成する画像等の決定後、十字ボタン４２のキー操作で合成位置を調整するようにする。
【０１１８】
また、本実施の形態では、ファイル名変更モード時において、タッチパネルから手書き入力した文字を文字認識してファイル名を入力するようにしているが、ＲＯＭやメモリカード、ＵＳＢ接続された外部機器（たとえば、データストレージ等）等にあらかじめ規定の文字データを格納しておき、この文字データを選択して入力するようにしてもよい。たとえば、数字、アルファベット、漢字、かなの他、日付や人名、地域名等の文字データをＲＯＭ等に格納しておき、この中から使用する文字データを選択するようにする。選択は、例えば次のように行う。すなわち、まず、図１２（ａ）に示すように、入力する文字種を選択する。選択は、十字ボタン４２の操作でカーソルを移動させ、メニュー／ＯＫボタン３８を押して、選択を確定する。ここで、たとえば、入力する文字種に数字を選択すると、図１２（ｂ）に示すように、数字の選択画面がモニタ４４Ａに表示され、アルファベットを選択すると、図１２（ｃ）に示すように、アルファベットの選択画面がモニタ４４Ａに表示される。また、たとえば、地域名を選択すると、地域名の選択画面がモニタ４４Ａに表示される。ここで、地域名の選択画面では、都道府県と市町村を選択できるようにされており、各欄に表示される都道府県名及び市町村名を十字ボタン４２の上下のキー操作でスクロールさせて、都道府県名及び市町村名を入力する（市町村名は、都道府県名で選択した都道府県に存在する市町村のみ選択することができるようにする。）。
【０１１９】
このように、ＲＯＭやメモリカード、外部機器にあらかじめ規定の文字データを格納しておき、この文字データを選択して入力するようにしてもよい。なお、メモリカードに文字データを格納した場合には、必要に応じてメモリカードを交換することにより、使用可能な文字データを変更したり、増やしたりすることができる。
【０１２０】
なお、上述した一連の実施の形態では、本発明を電子カメラに適用した場合を例に説明したが、本発明の適用は電子カメラに限らず、デジタルビデオカメラやカメラ付き携帯電話機等の撮影機能を備えた電子機器（撮影装置）全般に適用することができる。
【図面の簡単な説明】
【０１２１】
【図１】本発明が適用された電子カメラの正面斜視図
【図２】本発明が適用された電子カメラの背面斜視図
【図３】本発明が適用された電子カメラの内部構成を示すブロック図
【図４】ペイントモード時の電子カメラの動作手順を示すフローチャート
【図５】ペイントモード時のモニタの表示例を示す図
【図６】ファイル名変更モード時の電子カメラの動作手順を示すフローチャート
【図７】ファイル名変更モード時のモニタの表示例を示す図
【図８】電子カメラの他の実施の形態を示す背面斜視図
【図９】メモリカードや外部機器から入力した画像を合成する場合の処理手順を示すフローチャート
【図１０】画像合成時におけるモニタの表示例を示す図
【図１１】テンプレート合成時におけるモニタの表示例を示す図
【図１２】ファイル名選択時におけるモニタの表示例を示す図
【符号の説明】
【０１２２】
１０…電子カメラ、１２…カメラボディ、１４…レンズ、１６…ストロボ、１８…ファインダ窓、２０…ＡＦ補助光ランプ、２２…セルフタイマランプ、２４…ストロボ調光センサ、２６…シャッターボタン、２８…電源スイッチ、３０…モードダイヤル、３２…ファインダ接眼部、３４…ズームボタン、３６…表示ボタン、３８…メニュー／ＯＫボタン、４０…ＢＡＣＫボタン、４２…十字ボタン、４４…表示部、４４Ａ…モニタ、４４Ｂ…タッチパネル、４６…バッテリーカバー、４８…三脚用ねじ穴、５０…ペン、５２…システム制御部、５４…撮像部、５６…画像処理部、５８…記録処理部、６０…表示処理部、６２…操作部、７０…ＵＳＢ端子、７２…ＵＳＢケーブル
【図１】
2005184778.tif 000003
【図２】
2005184778.tif 000004
【図３】
2005184778.tif 000005
【図４】
2005184778.tif 000006
【図５】
2005184778.tif 000007
【図６】
2005184778.tif 000008
【図７】
2005184778.tif 000009
【図８】
2005184778.tif 000010
【図９】
2005184778.tif 000011
【図１０】
2005184778.tif 000012
【図１１】
2005184778.tif 000013
【図１２】
2005184778.tif 000014